(57)【要約】【課題】面材と化粧モールとの接合強度を向上でき、デザイン上の自由度を高めることができる、化粧モールの取付構造および戸パネルを提供する。【解決手段】化粧モールの取付構造１０は、互いに間隔を隔てて同一平面上に配設された２枚の面材２６と、２枚の面材２６の対向する端面２６ａ間に配設された化粧モール１４とを備えており、対向する端面２６ａの一方および他方には、化粧モール１４の移動を抑止するモール移動抑止部３２が形成されており、化粧モール１４の幅方向両端面には、モール移動抑止部３２に係合される面材係合部３４が形成されている。したがって、化粧モール１４の面材係合部３４が面材２６のモール移動抑止部３２に係合されることによって、化粧モール１４の離脱が防止される。この取付構造１０は、表面に化粧モール１４を備える戸パネルに適用可能である。【選択図】図１
2007138664.tif 000002
【特許請求の範囲】
【請求項１】
互いに間隔を隔てて同一平面上に配設された２枚の面材と、前記２枚の面材の対向する端面間に配設された化粧モールとを備える、化粧モールの取付構造において、
対向する前記端面の一方および他方には、前記化粧モールの移動を抑止するモール移動抑止部が形成されており、前記化粧モールの幅方向両端面には、前記モール移動抑止部に係合される面材係合部が形成されていることを特徴とする、化粧モールの取付構造。
【請求項２】
モール移動抑止部は、２枚の面材の対向する端面間の間隔が面材の裏面側から表面側へ向かって狭くなるように形成され、化粧モールの表面側への動きを抑止する表面側移動抑止部を有しており、面材係合部は、表面側移動抑止部より裏面側に配設され、表面側移動抑止部に係合される表面側移動抑止係合部を有している、請求項１記載の化粧モールの取付構造。
【請求項３】
モール移動抑止部は、２枚の面材の対向する端面間の間隔が面材の表面側から裏面側へ向かって狭くなるように形成され、化粧モールの裏面側への動きを抑止する裏面側移動抑止部を有しており、面材係合部は、裏面側移動抑止部より表面側に配設され、裏面側移動抑止部に係合される裏面側移動抑止係合部を有している、請求項２記載の化粧モールの取付構造。
【請求項４】
請求項１ないし３のいずれかに記載の化粧モールの取付構造を備える、戸パネル。
【発明の詳細な説明】
【技術分野】
【０００１】
本発明は、住宅のドアや引戸等に用いられるパネルに化粧モールを取り付けるための化粧モールの取付構造、およびそのような取付構造を備える戸パネルに関する。
【背景技術】
【０００２】
ドアや引戸に用いられる一般的な戸パネルは、骨組みされたフレームの表裏両面に板状の面材を取り付けることによって構成されており、この戸パネルに化粧モールを取り付ける際には、面材の表面に溝を形成し、この溝に化粧モールを嵌め込むようにしていた（特許文献１の図８、図９参照）。
【０００３】
このような戸パネルでは、一旦、戸パネルの全体構造を構成した後に、面材の表面にモール取付用の溝を形成し、この溝に化粧モールを嵌め込むようにしていたので、製造工程数が多くなり、コスト高になるという問題があった。
【０００４】
そこで、本件出願人は、先に、製造工程数を削減できる戸パネルを開発し、これを平成９年８月２６日付で特許出願している（特許文献１の図１〜図７参照）。この戸パネルは、複数の面材と化粧モールとを予め平面状に接合して一体化し、この一体物をフレームに取り付けるようにしたものである。
【特許文献１】特開平１１−６２４１５号公報
【発明の開示】
【発明が解決しようとする課題】
【０００５】
従来の戸パネル（特許文献１の図１〜図７参照）によれば、複数の面材と化粧モールとを予め平面状に接合していたので、化粧モールを取り付けるための溝を面材の表面に形成する必要はなく、製造工程数を大幅に削減できる。しかし、面材と化粧モールとは、互いに突き合わされてテープで接合されていたに過ぎないので、化粧モールを中桟に接着することによって接合強度を補強する必要があった。そのため、化粧モールを中桟に沿わせて配設しなければならず、デザイン上の自由度が大幅に制限されていた。
【０００６】
それゆえに、本発明の主たる課題は、面材と化粧モールとの接合強度を向上でき、デザイン上の自由度を高めることができる、化粧モールの取付構造および戸パネルを提供することである。
【課題を解決するための手段】
【０００７】
請求項１に記載した発明は、「互いに間隔を隔てて同一平面上に配設された２枚の面材２６と、前記２枚の面材２６の対向する端面２６ａ間に配設された化粧モール１４とを備える、化粧モールの取付構造において、対向する前記端面２６ａの一方および他方には、前記化粧モール１４の移動を抑止するモール移動抑止部３２が形成されており、前記化粧モール１４の幅方向両端面には、前記モール移動抑止部３２に係合される面材係合部３４が形成されていることを特徴とする、化粧モールの取付構造１０」である。
【０００８】
この発明では、化粧モール１４の面材係合部３４が面材２６のモール移動抑止部３２に係合されることによって、化粧モール１４の離脱が防止される。
【０００９】
請求項２に記載した発明は、請求項１に記載した「化粧モールの取付構造１０」において、「モール移動抑止部３２は、２枚の面材２６の対向する端面２６ａ間の間隔が面材２６の裏面側から表面側へ向かって狭くなるように形成され、化粧モール１４の表面側への動きを抑止する表面側移動抑止部３２ａを有しており、面材係合部３４は、表面側移動抑止部３２ａより裏面側に配設され、表面側移動抑止部３２ａに係合される表面側移動抑止係合部３４ａを有している」ことを特徴とする。
【００１０】
この発明では、面材係合部３４の表面側移動抑止係合部３４ａがモール移動抑止部３２の表面側移動抑止部３２ａに係合されることによって、化粧モール１４の表面側への離脱が防止される。
【００１１】
請求項３に記載した発明は、請求項２に記載した「化粧モールの取付構造１０」において、「モール移動抑止部３２は、２枚の面材２６の対向する端面２６ａ間の間隔が面材２６の表面側から裏面側へ向かって狭くなるように形成され、化粧モール１４の裏面側への動きを抑止する裏面側移動抑止部３２ｂを有しており、面材係合部３４は、裏面側移動抑止部３２ｂより表面側に配設され、裏面側移動抑止部３２ｂに係合される裏面側移動抑止係合部３４ｂを有している」ことを特徴とする。
【００１２】
この発明では、面材係合部３４の裏面側移動抑止係合部３４ｂがモール移動抑止部３２の裏面側移動抑止部３２ｂに係合されることによって、化粧モール１４の裏面側への離脱が防止される。
【００１３】
請求項４に記載した発明は、「請求項１ないし３のいずれかに記載の化粧モールの取付構造１０を備える、戸パネル１２」である。
【００１４】
請求項１ないし３に記載した化粧モールの取付構造１０は、化粧モール１４を備えるあらゆる建築資材に適用可能であるが、本発明は、化粧モールの取付構造１０を戸パネル１２に適用したものである。
【発明の効果】
【００１５】
請求項１〜４に記載した発明によれば、化粧モールの幅方向両端面に形成された面材係合部が２枚の面材の対向する端面に形成されたモール移動抑止部に係合されることによって、２枚の面材の間から化粧モールが離脱するのを確実に防止できる。したがって、化粧モールを中桟に沿わせて配設する必要はなく、デザイン上の自由度を飛躍的に高めることができる。
【発明を実施するための最良の形態】
【００１６】
図１は、本発明が適用された化粧モールの取付構造（以下、単に「取付構造」という。）１０を示す斜視図である。この取付構造１０は、図２に示すように、ドアや引戸等に用いられる戸パネル１２の表面に、装飾用の化粧モール１４を組み込むために用いられるものである。
【００１７】
戸パネル１２は、図２に示すように、骨組みされたフレーム１６の表裏両面に、２枚のパネル１８を接着剤等で接合することによって構成されている。
【００１８】
フレーム１６（図２）は、複数の棒材２０ａによって略四角形に組まれた枠体２０と、枠体２０の上辺と下辺との間に架け渡された２本の縦桟２２と、縦桟２２間に架け渡された２本の横桟２４とによって構成されており、棒材２０ａ、縦桟２２および横桟２４の断面形状は、パネル１８との接触面を確保するために、「四角形」に形成されている。棒材２０ａ、縦桟２２および横桟２４の材質は、特に限定されるものではないが、加工が容易な点において木材、合板、ＬＶＬ（平行合板）、中密度繊維板、高密度繊維板または集成材等の木質材を用いることが望ましい。
【００１９】
各パネル１８（図２）は、同一平面上に配設された３枚の面材２６と、面材２６間に配設された２本の化粧モール１４とを備えており、２枚の面材２６間に化粧モール１４を取り付ける取付構造として、本発明に係る取付構造１０が用いられている。つまり、各パネル１８では、化粧モール１４が配設される２箇所において、取付構造１０が用いられている。
【００２０】
以下には、パネル１８に適用された取付構造１０について説明する。
【００２１】
取付構造１０は、図１に示すように、互いに間隔を隔てて同一平面上に配設された２枚の面材２６と、２枚の面材２６の対向する端面２６ａ間に配設された化粧モール１４とを備えている。
【００２２】
各面材２６は、板状の基材２８と、基材２８の表面に接合された化粧材３０とによって構成されている。基材２８は、パネル１８の表面強度を確保するために、木材、合板、ＬＶＬ（平行合板）、中密度繊維板、高密度繊維板または集成材等によって２．５〜９ｍｍ程度の厚さで形成されており、基材２８の化粧モール１４と当接する端面２６ａには、化粧モール１４の移動を抑止するモール移動抑止部３２が形成されている。
【００２３】
モール移動抑止部３２は、化粧モール１４が面材２６の表面側および裏面側へ離脱するのを防止するために、側面視形状が「台形」となるように突出して形成されている。つまり、モール移動抑止部３２は、面材２６の対向する端面２６ａ間の間隔が面材２６の裏面側から表面側へ向かって狭くなるように形成された表面側移動抑止部３２ａと、端面２６ａ間の間隔が面材２６の表面側から裏面側へ向かって狭くなるように形成された裏面側移動抑止部３２ｂとを有している。そして、表面側移動抑止部３２ａに後述する表面側移動抑止係合部３４ａが係合されることによって化粧モール１４の表面側への移動が抑止され、裏面側移動抑止部３２ｂに後述する裏面側移動抑止係合部３４ｂが係合されることによって化粧モール１４の裏面側への移動が抑止される。
【００２４】
化粧材３０は、装飾性を有する化粧シートまたは化粧板等であり、接着剤等を用いて基材２８の表面に接合されている。
【００２５】
なお、この実施例では、基材２８の表面に化粧材３０を接合した面材２６を用いるようにしているが、基材２８のみからなる面材２６を用いてパネル１８（図２）を構成し、その後、基材２８の表面に化粧材３０を接合するようにしてもよい。ただし、施工の容易性や生産性を考慮すると、パネル１８を構成するより前の段階で、基材２８の表面に化粧材３０を接合することが望ましい。また、化粧材３０に代えて、塗装を施すようにしてもよいし、基材２８の裏面には、防湿シート、保温シートまたは遮音シート等を接合するようにしてもよい。
【００２６】
化粧モール１４は、戸パネル１２の表面に装飾性を付与するものであり、面材２６の幅とほぼ同じサイズの長さを有する棒状部材であり、化粧モール１４の幅方向両端面には、面材２６のモール移動抑止部３２に係合される面材係合部３４が形成されている。
【００２７】
面材係合部３４は、モール移動抑止部３２との嵌合が可能なように、側面視形状が「台形」となるように陥入して形成されている。つまり、面材係合部３４は、面材２６の表面側移動抑止部３２ａより裏面側に配設され、表面側移動抑止部３２ａに係合される表面側移動抑止係合部３４ａと、面材２６の裏面側移動抑止部３２ｂより表面側に配設され、裏面側移動抑止部３２ｂに係合される裏面側移動抑止係合部３４ｂとを有している。
【００２８】
なお、化粧モール１４の材料としては、特に限定されるものではないが、木材、合板、ＬＶＬ（平行合板）、中密度繊維板、高密度繊維板または集成材等の木質材料や、アクリルまたはポリカーボネート等の合成樹脂材料や、アルミニウム等の金属材料等を用いることができ、また、これらの複合材料を用いることもできる。
【００２９】
取付構造１０を構成する際には、２枚の面材２６の端面２６ａ間に化粧モール１４を配置するとともに、これらを互いに密接させる。そして、裏面に接着テープ３６を貼ることによってこれらを互いに接合する。この実施例の取付構造１０は、フレーム１６に接着されるパネル１８に用いられることから、接着テープ３６としては、接着剤が通る複数の孔３６ａを有するものが用いられる（図２）。なお、面材２６と化粧モール１４とを接合する手段としては、接着テープ３６に代えて接着剤を用いてもよいし、接着テープ３６と接着剤とを併用してもよい。
【００３０】
取付構造１０を用いて構成されたパネル１８では、図１に示すように、面材２６と化粧モール１４とが互いに嵌め合わされて強固に一体化されている。したがって、このパネル１８を用いた戸パネル１２においては、図２に示すように、化粧モール１４をフレーム１６の縦桟２２または横桟２４に沿わせて配設する必要はなく、化粧モール１４の位置を自由に決めることができる。
【００３１】
また、取付構造１０で用いられた接着テープ３６には、複数の孔３６ａ（図２）が形成されているので、パネル１８とフレーム１６とを孔３６ａを介して直接接着することができ、取付構造１０が構成された部分においても、十分な接合強度を得ることができる。
【００３２】
なお、モール移動抑止部３２および面材係合部３４の形状は、互いに嵌合し得る形状である必要があるが、その具体的形状は、特に限定されるものではなく、図３〜図６に示すように、適宜変更可能である。つまり、モール移動抑止部３２の形状に着目した場合、その形状は、図３に示すような「陥入した台形」、図４に示すような「中央部において陥入した四角形」、図５に示すような「裏面側端部において陥入した三角形」、図５に示すような「裏面側端部において陥入した四角形」等であってもよい。
【００３３】
これらの場合（図３〜図６）でも、端面２６ａ間の間隔が面材２６の裏面側から表面側へ向かって狭くなるように形成された部分が表面側移動抑止部３２ａとなり、端面２６ａ間の間隔が面材２６の表面側から裏面側へ向かって狭くなるように形成された部分が裏面側移動抑止部３２ｂとなる。また、表面側移動抑止部３２ａより裏面側に配設され、表面側移動抑止部３２ａに係合される部分が表面側移動抑止係合部３４ａとなり、裏面側移動抑止部３２ｂより表面側に配設され、裏面側移動抑止部３２ｂに係合される部分が裏面側移動抑止係合部３４ｂとなる。
【００３４】
ただし、化粧モール１４の裏面側への移動は、接着テープ３６およびフレーム１６によっても抑止可能なため、裏面側移動抑止部３２ｂおよび裏面側移動抑止係合部３４ｂは、必ずしも設ける必要はない。このような理由から、図５および図６では、表面側移動抑止部３２ａおよび表面側移動抑止係合部３４ａのみが設けられており、裏面側移動抑止部３２ｂおよび裏面側移動抑止係合部３４ｂは省略されている。
【００３５】
また、化粧モール１４の表面には、図６に示すように、長手方向端面にまで至らない溝３８が形成されてもよいし、図７または図８に示すように、長手方向端面にまで至る溝４０または４２が形成されてもよい。また、これらの溝３８〜４２の形状は、特に限定されるものではなく、図６または図７に示すような「コ」状の溝であってもよいし、図８に示すような「Ｖ」状の溝であってもよい。
【００３６】
さらに、本発明に係る取付構造１０は、戸パネル１２に用いられるパネル１８の他、壁パネルまたは天井パネル等にも適用可能である。
【図面の簡単な説明】
【００３７】
【図１】化粧モールの取付構造を示す斜視図
【図２】戸パネルを示す分解斜視図
【図３】モール移動抑止部および面材係合部の変形例を示す斜視図
【図４】モール移動抑止部および面材係合部の変形例を示す斜視図
【図５】モール移動抑止部および面材係合部の変形例を示す斜視図
【図６】化粧モールの変形例を示す斜視図
【図７】化粧モールの変形例を示す斜視図
【図８】化粧モールの変形例を示す斜視図
【符号の説明】
【００３８】
１０…  化粧モールの取付構造
１２…  戸パネル
１４…  化粧モール
１６…  フレーム
１８…  パネル
２０…  枠体
２０ａ…  棒材
２２…  縦桟
２４…  横桟
２６…  面材
２６ａ…  端面
２８…  基材
３０…  化粧材
３２…  モール移動抑止部
３２ａ…  表面側移動抑止部
３２ｂ…  裏面側移動抑止部
３４…  面材係合部
３４ａ…  表面側移動抑止係合部
３４ｂ…  裏面側移動抑止係合部
３６…  接着テープ
３６ａ…  孔
３８，４０，４２…  溝
【図１】
2007138664.tif 000003
【図２】
2007138664.tif 000004
【図３】
2007138664.tif 000005
【図４】
2007138664.tif 000006
【図５】
2007138664.tif 000007
【図６】
2007138664.tif 000008
【図７】
2007138664.tif 000009
【図８】
2007138664.tif 000010